(57)【要約】【課題】温度が異なる２種類の冷却媒体で過給吸気を冷却するインタークーラにおいて、異物堆積による流路閉塞を抑制する。【解決手段】流路管２０１の内部を流れる冷却媒体と、流路管２０１の外部を流れる過給吸気とを熱交換させる熱交換部２００を備えるインタークーラにおいて、冷却媒体には、第１冷却媒体と、第１冷却媒体より温度が高い第２冷却媒体とが含まれており、流路管２０１内には、過給吸気の流れ方向と交差するように第１冷却媒体が流れる第１冷却媒体流路２０４と、過給吸気の流れ方向と交差するように第２冷却媒体が流れる第２冷却媒体流路２０５とが形成されており、第２冷却媒体流路２０５は、第１冷却媒体流路２０４よりも過給吸気の流れ方向の上流側に配置されており、第１冷却媒体流路２０４の内部には、フィン２０７が設けられており、第２冷却媒体流路２０５の内部には、フィンが設けられていない【選択図】図５
2019015200.tif 000002
【特許請求の範囲】
【請求項１】
過給機によってエンジン（１０）に過給される過給吸気と冷却媒体との間で熱交換を行うことで前記過給吸気を冷却するインタークーラであって、
流路管（２０１）の内部を流れる前記冷却媒体と、前記流路管の外部を流れる前記過給吸気とを熱交換させる熱交換部（２００）を備え、
前記冷却媒体には、第１冷却媒体と、前記第１冷却媒体より温度が高い第２冷却媒体とが含まれており、
前記流路管内には、前記過給吸気の流れ方向と交差するように前記第１冷却媒体が流れる第１冷却媒体流路（２０４）と、前記過給吸気の流れ方向と交差するように前記第２冷却媒体が流れる第２冷却媒体流路（２０５）とが形成されており、
前記第２冷却媒体流路は、前記第１冷却媒体流路よりも前記過給吸気の流れ方向の上流側に配置されており、
前記第１冷却媒体流路の内部には、フィン（２０７）が設けられており、前記第２冷却媒体流路の内部には、フィンが設けられていないインタークーラ。
【請求項２】
前記流路管のうち前記第２冷却媒体流路が形成されている部位における前記過給吸気の流れ方向の長さ（ＤHT）が前記流路管のうち前記第１冷却媒体流路が形成されている部位における前記過給吸気の流れ方向の長さ（ＤLT）よりも短くなっている請求項１に記載のインタークーラ。
【請求項３】
前記第１冷却媒体流路は、前記第１冷却媒体をＵターンさせる第１Ｕターン部（２０４ｄ、２０４ｆ、２０４ｈ）を有している請求項１または２に記載のインタークーラ。
【請求項４】
前記第１冷却媒体流路は、前記第１Ｕターン部（２０４ｄ、２０４ｆ）を２つ有している請求項３に記載のインタークーラ。
【請求項５】
前記第１冷却媒体流路は、前記第１Ｕターン部（２０４ｄ、２０４ｆ、２０４ｈ）を３つ有している請求項３に記載のインタークーラ。
【請求項６】
前記第１冷却媒体流路は、前記第１冷却媒体が一方向に流れる請求項１または２に記載のインタークーラ。
【請求項７】
前記第２冷却媒体流路は、前記第２冷却媒体をＵターンさせる第２Ｕターン部（２０５ｄ）を有している請求項１ないし６のいずれか１つに記載のインタークーラ。
【請求項８】
前記第２冷却媒体流路は、前記第２冷却媒体が一方向に流れる請求項１ないし６のいずれか１つに記載のインタークーラ。
【請求項９】
前記第２冷却媒体流路は、内表面が平坦状に形成されている請求項１ないし８のいずれか１つに記載のインタークーラ。
【請求項１０】
前記第２冷却媒体流路は、内表面に突起部（２０５ｇ）が形成されている請求項１ないし８のいずれか１つに記載のインタークーラ。
【請求項１１】
前記第２冷却媒体流路は、対向する内表面同士を所定の間隔を保持した状態で接合する支柱部（２０６）が形成されている請求項１ないし８のいずれか１つに記載のインタークーラ。
【請求項１２】
前記第２冷却媒体流路は、
前記第２Ｕターン部に、対向する内表面同士を所定の間隔を保持した状態で接合する支柱部（２０６）が形成されており、
前記第２冷却媒体の流れ方向と過給吸気の流れ方向が交差する部位（２０５ｅ、２０５ｆ）の内表面が平坦状に形成されている請求項７に記載のインタークーラ。
【請求項１３】
前記第２冷却媒体流路は、
前記第２Ｕターン部に、対向する内表面同士を所定の間隔を保持した状態で接合する支柱部（２０６）が形成されており、
前記第２冷却媒体の流れ方向と過給吸気の流れ方向が交差する部位（２０５ｅ、２０５ｆ）の内表面に突起部（２０５ｇ）が形成されている請求項７に記載のインタークーラ。
【発明の詳細な説明】
【技術分野】
【０００１】
本発明は、過給機にて加圧された過給吸気を冷却するインタークーラに関するものである。
【背景技術】
【０００２】
従来より、過給機によってエンジンに過給される過給空気と、温度が異なる二種類の冷却水とを熱交換させて、過給吸気を冷却するインタークーラが知られている（例えば、特許文献１参照）。この特許文献１に記載のインタークーラは、過給吸気の流れ方向上流側に高温冷却水が流通する高温冷却水流路が配置され、過給吸気の流れ方向下流側に低温冷却水が流通する低温冷却水流路が配置されている。また、高温冷却水流路および低温冷却水流路には、冷却水と過給吸気との熱交換を促進するためのフィンが配置されている。
【０００３】
これによれば、エンジン始動時において、高温冷却水の有する熱により低温冷却水を早期に暖気することができる。さらに、過給吸気を、低温冷却水により冷却する前に、高温冷却水により予冷することができるため、過給吸気冷却システムの冷却性能を向上させることができる。
【先行技術文献】
【特許文献】
【０００４】
【特許文献１】特開２０１５−１５５６９２号公報
【発明の概要】
【発明が解決しようとする課題】
【０００５】
上記特許文献１に記載のインタークーラでは、高温冷却水流路では、冷却水と高温の過給吸気が熱交換することから、冷却水の温度が沸点付近まで上昇する可能性がある。特に冷却水流路が狭まっている構成の場合には、通水抵抗が増大し、冷却水流路出口付近での水圧が低下して、冷却水の沸点が低下する。このため、冷却水温度が上昇しやすい高温冷却水流路では、冷却水の沸騰が懸念される。
【０００６】
冷却水が沸騰すると、冷却水に含まれる成分由来の異物が発生し、この異物が水流路に堆積して、流路が閉塞する不具合につながるおそれがある。また、冷却水流路が狭まっている構成の場合には、異物堆積による流路閉塞が起きやすい。
【０００７】
本発明は上記点に鑑みて、温度が異なる２種類の冷却媒体で過給吸気を冷却するインタークーラにおいて、異物堆積による流路閉塞を抑制することを目的とする。
【課題を解決するための手段】
【０００８】
上記目的を達成するため、請求項１に記載の発明では、過給機によってエンジン（１０）に過給される過給吸気と冷却媒体との間で熱交換を行うことで過給吸気を冷却するインタークーラであって、流路管（２０１）の内部を流れる冷却媒体と、流路管の外部を流れる過給吸気とを熱交換させる熱交換部（２００）を備え、冷却媒体には、第１冷却媒体と、第１冷却媒体より温度が高い第２冷却媒体とが含まれており、流路管内には、過給吸気の流れ方向と交差するように第１冷却媒体が流れる第１冷却媒体流路（２０４）と、過給吸気の流れ方向と交差するように第２冷却媒体が流れる第２冷却媒体流路（２０５）とが形成されており、第２冷却媒体流路は、第１冷却媒体流路よりも過給吸気の流れ方向の上流側に配置されており、第１冷却媒体流路の内部には、フィン（２０７）が設けられており、第２冷却媒体流路の内部には、フィンが設けられていないことを特徴とする。
【０００９】
これにより、フィンが配置された第１冷却媒体流路では、伝熱面積が拡大し、第１冷却媒体と過給吸気の熱交換を促進する効果を得ることができる。一方、フィンが配置されていない第２冷却媒体流路では、通水抵抗を低下させることができ、第２冷却媒体の沸点を上昇させることができる。この結果、第２冷却媒体流路を流れる第２冷却媒体が沸騰しにくくなり、第２冷却媒体の沸騰に起因する異物の発生を抑制できる。
【００１０】
また、第２冷却媒体流路にはフィンが設けられていないため、第２冷却媒体の流路が広くなっている。このため、第２冷却媒体中に異物が発生したとしても、異物が流路に堆積することを抑制でき、異物によって流路が閉塞することを極力回避することが可能となる。
【００１１】
なお、上記各手段の括弧内の符号は、後述する実施形態に記載の具体的手段との対応関係を示すものである。
【図面の簡単な説明】
【００１２】
【図１】第１実施形態における車両の過給吸気冷却システムの概要を示す構成図である。
【図２】第１実施形態におけるインタークーラの平面図である。
【図３】第１実施形態におけるインタークーラの斜視図である。
【図４】第１実施形態におけるインタークーラの要部を示す斜視図である。
【図５】第１実施形態における流路管の内部を示す模式図である。
【図６】第１実施形態におけるフィンを示す斜視図である。
【図７】第２実施形態における流路管の内部を示す模式図である。
【図８】第３実施形態における流路管の内部を示す模式図である。
【図９】第４実施形態における流路管の内部を示す模式図である。
【図１０】第５実施形態における流路管の内部を示す模式図である。
【図１１】第６実施形態における流路管の内部を示す模式図である。
【図１２】第７実施形態における流路管の内部を示す模式図である。
【図１３】第８実施形態における流路管の内部を示す模式図である。
【図１４】第９実施形態における流路管の内部を示す模式図である。
【図１５】変形例のフィンを示す斜視図である。
【発明を実施するための形態】
【００１３】
以下、本発明の実施形態について図に基づいて説明する。なお、以下の各実施形態相互において、互いに同一もしくは均等である部分には、図中、同一符号を付してある。
【００１４】
（第１実施形態）
本発明の第１実施形態について図面に基づいて説明する。本第１実施形態は、本発明のインタークーラを、車両の過給吸気冷却システムに適用した例について説明する。
【００１５】
図１に示すように、車両のエンジン（内燃機関）１０の吸気系にはエンジン１０に吸気を過給する過給機（図示せず）が設けられている。この過給機はエンジン１０の最高出力を補うために設けられている。つまり、本実施形態における車両は、燃費向上を目的としてエンジン１０が小排気量化されており、この小排気量化に伴う最高出力の低下を過給機によって補っている。
【００１６】
吸気系において過給機よりも吸気流れ下流側には、エンジン吸気を冷却するインタークーラ２０が設けられている。このインタークーラ２０は、過給機によって圧縮された過給吸気を冷却して、エンジン吸気の充填効率を向上させる役割を果たす。本実施形態のインタークーラ２０は、異なる温度を有する独立した２系統の冷却水によって過給吸気を冷却する２温度式水冷インタークーラである。
【００１７】
インタークーラ２０は、低温冷却水が循環する低温冷却水回路３０に設けられており、インタークーラ２０の内部を低温冷却水が流通するようになっている。また、インタークーラ２０の内部には、高温冷却水回路４０を循環する高温冷却水も流通するようになっている。そして、インタークーラ２０は過給機によって圧縮された過給吸気を低温冷却水および高温冷却水と熱交換させて過給吸気を冷却する。低温冷却水および高温冷却水としてはＬＬＣ（不凍液）や水等を用いることができる。
【００１８】
低温冷却水回路３０には低温冷却水を循環させるウォータポンプ３１が設けられ、低温冷却水回路３０においてウォータポンプ３１とインタークーラ２０との間には低温冷却水の熱を外気に放熱させて低温冷却水を冷却する第１ラジエータ（第１放熱器）３２が設けられている。
【００１９】
高温冷却水回路４０には、ウォータポンプ４１と、第２ラジエータ（第２放熱器）４２と、ヒータコア（加熱用熱交換器）４３とが設けられている。ウォータポンプ４１は、高温冷却水回路４０に高温冷却水を循環させる。第２ラジエータ４２は、高温冷却水がエンジン１０から吸熱した熱を外気に放熱する。ヒータコア４３は、車室内へ送風される送風空気と高温冷却水とを熱交換させて送風空気を加熱する。インタークーラ２０、第２ラジエータ４２およびヒータコア４３は、高温冷却水回路４０において並列に配置されている。
【００２０】
高温冷却水はエンジン１０から吸熱しているため、インタークーラ２０の内部を流通する際、高温冷却水の温度が低温冷却水の温度よりも高くなる。本実施形態の低温冷却水が本発明の第１冷却媒体に相当し、本実施形態の高温冷却水が本発明の第２冷却媒体に相当している。
【００２１】
続いて、本第１実施形態のインタークーラ２０について、詳細に説明する。図２、図３に示すように、インタークーラ２０は、ダクト２１、フランジ２２、タンク２３、冷却水パイプ２４、及び熱交換部２００を備えて構成されている。熱交換部２００はダクト２１の内部に設けられており、過給吸気と冷却水を熱交換する。
【００２２】
ダクト２１は、過給吸気が流通する筒状の部品であり、過給吸気が流入する流入口と過給吸気が流出する流出口が設けられている。ダクト２１の流入口および流出口には、それぞれフランジ２２が設けられている。ダクト２１の流入口および流出口には、フランジ２２によってタンク２３が固定されている。フランジ２２とタンク２３との固定は、例えばかしめ固定によって行うことができる。
【００２３】
タンク２３は過給吸気が流れる筒状部材である。ダクト２１の流入口に連結されたタンク２３を流れる過給吸気がダクト２１の流入口に流入し、ダクト２１の流出口から流出した過給吸気がダクト２１の流出口に連結されたタンク２３を流れる。
【００２４】
ダクト２１には、冷却水が流通する図示しない配管が接続される冷却水パイプ２４が設けられている。インタークーラ２０は、当該配管を介してラジエータ３２、４２、ヒータコア４３等と接続される。冷却水パイプ２４は、低温冷却水を熱交換部２００に流入させる低温側流入パイプ２４ａ、低温冷却水を熱交換部２００から流出させる低温側流出パイプ２４ｂ、高温冷却水を熱交換部２００に流入させる高温側流入パイプ２４ｃ、高温冷却水を熱交換部２００から流出させる高温側流出パイプ２４ｄを含んでいる。
【００２５】
本実施形態のインタークーラ２０の熱交換部２００は、いわゆるドロンカップ型の熱交換器として構成されている。図４に示すように、熱交換部２００は、複数の流路管２０１と、隣り合う流路管２０１の間に接合されるフィン２０２とが交互に積層配置されている。流路管２０１は、対向する一対の板状部材２０３を最中合わせに接合することで形成されている。流路管２０１は、断面形状が扁平形状となっている。
【００２６】
熱交換部２００の構成部品のうち全部品または一部の部品は、例えばアルミニウムで形成された芯材の表面にろう材をクラッドしたクラッド材で形成されている。クラッド材の表面にフラックスを塗布した状態で加熱することによって、熱交換部２００の各構成部品がろう付け接合される。
【００２７】
熱交換部２００は、流路管２０１の内部を流れる冷却水と、流路管２０１の外部を流れる過給吸気とを熱交換させるように構成されている。積層された流路管２０１と流路管２０１との間のフィン２０２が配置された空間が、過給吸気が流通する過給吸気流路を構成している。
【００２８】
フィン２０２は、薄板材を波状に曲げて成形したコルゲートフィンであり、流路管２０１における平坦な外面側に接合され、過給吸気と冷却水との伝熱面積を拡大させるための熱交換促進部を構成する。
【００２９】
図５に示すように、流路管２０１内には、低温冷却水が流れる低温冷却水流路２０４と、高温冷却水が流れる高温冷却水流路２０５とが形成されている。これらの冷却水流路２０４、２０５における冷却水の流れ方向は、過給吸気の流れ方向に交差する方向、具体的には過給吸気の流れ方向に直交する方向となっている。図５における過給吸気の流れ方向は、下側から上側に向かう方向である。なお、低温冷却水流路２０４が本発明の第１冷却媒体流路に相当し、高温冷却水流路２０５が本発明の第２冷却媒体流路に相当している。
【００３０】
流路管２０１内において低温冷却水流路２０４および高温冷却水流路２０５は、並列して配置されており、過給吸気の流れ方向における上流側と下流側に配置されている。具体的には、過給吸気流れ方向の上流側に高温冷却水流路２０５が配置され、過給吸気流れ方向の下流側に低温冷却水流路２０４が配置されている。すなわち、本実施形態では、過給吸気が通過する過給吸気通路の上流側に高温冷却水が流通するとともに、過給吸気通路の下流側に低温冷却水が流通するように構成されている。
【００３１】
図５に示すように、流路管２０１は、低温冷却水流路２０４に低温冷却水を流入させる低温側入口部２０４ａ、低温冷却水流路２０４から低温冷却水を流出させる低温側出口部２０４ｂ、高温冷却水流路２０５に高温冷却水を流入させる高温側入口部２０５ａ、高温冷却水流路２０５から高温冷却水を流出させる高温側出口部２０５ｂを備えている。低温側入口部２０４ａ、低温側出口部２０４ｂ、高温側入口部２０５ａおよび高温側出口部２０５ｂは、流路管２０１に貫通穴を形成することにより構成されている。
【００３２】
低温冷却水流路２０４には、流路を仕切る低温側仕切部２０４ｃと、低温冷却水をＵターンさせる低温側Ｕターン部２０４ｄが設けられている。低温冷却水流路２０４は、低温側仕切部２０４ｃによって、低温側Ｕターン部２０４ｄより上流側に位置する第１低温側流路部２０４ｅと、低温側Ｕターン部２０４ｄより下流側に位置する第２低温側流路部２０４ｆに仕切られている。なお、低温側Ｕターン部２０４ｄが本発明の第１Ｕターン部に相当している。
【００３３】
低温冷却水流路２０４を流れる低温冷却水は低温側Ｕターン部２０４ｄで流れ方向を変える。このため、第１低温側流路部２０４ｅと第２低温側流路部２０４ｆで低温冷却水の流れ方向が反対方向になっている。
【００３４】
低温冷却水流路２０４において、第１低温側流路部２０４ｅおよび第２低温側流路部２０４ｆが低温冷却水の流れ方向と過給吸気の流れ方向が交差する部位となっている。本実施形態では、第１低温側流路部２０４ｅおよび第２低温側流路部２０４ｆにおいて、低温冷却水の流れ方向と過給吸気の流れ方向が直交している。
【００３５】
高温冷却水流路２０５には、流路を仕切る高温側仕切部２０５ｃと、高温冷却水をＵターンさせる高温側Ｕターン部２０５ｄが設けられている。高温冷却水流路２０５は、高温側仕切部２０５ｃによって、高温側Ｕターン部２０５ｃより上流側に位置する第１高温側流路部２０５ｅと、高温側Ｕターン部２０５ｃより下流側に位置する第２高温側流路部２０５ｆに仕切られている。なお、高温側Ｕターン部２０５ｄが本発明の第２Ｕターン部に相当している。
【００３６】
高温冷却水流路２０５を流れる高温冷却水は高温側Ｕターン部２０５ｄで流れ方向を変える。このため、高温冷却水流路２０５では、第１高温側流路部２０５ｅと第２高温側流路部２０５ｆで高温冷却水の流れ方向が反対方向になっている。
【００３７】
高温冷却水流路２０５において、第１高温側流路部２０５ｅおよび第２高温側流路部２０５ｆが高温冷却水の流れ方向と過給吸気の流れ方向が交差する部位となっている。本実施形態では、第１高温側流路部２０５ｅおよび第２高温側流路部２０５ｆにおいて、高温冷却水の流れ方向と過給吸気の流れ方向が直交している。
【００３８】
本実施形態では、低温側入口部２０４ａ、低温側出口部２０４ｂ、高温側入口部２０５ａおよび高温側出口部２０５ｂは、流路管２０１の長手方向における一方の端部（つまり、図５の左側端部）に配置されている。これらは、過給吸気の流れ方向上流側から、高温側出口部２０５ｂ、高温側入口部２０５ａ、低温側出口部２０４ｂ、低温側入口部２０４ａの順に配置されている。また、低温側Ｕターン部２０４ｄおよび高温側Ｕターン部２０５ｄは、流路管２０１の長手方向における他方の端部（つまり、図５の右側端部）に配置されている。
【００３９】
本実施形態では、流路管２０１のうち高温冷却水流路２０５が形成されている部位における過給吸気流れ方向の長さＤHTは、流路管２０１のうち低温冷却水流路２０４が形成されている部位における過給吸気流れ方向の長さＤLTよりも短くなっている。本実施形態では、低温冷却水流路２０４の過給吸気流れ方向の長さＤLTは、第１低温側流路部２０４ｅ、第２低温側流路部２０４ｆおよび低温側仕切部２０４ｃの過給吸気流れ方向の長さを合計した値とほぼ等しくなっている。本実施形態では、高温冷却水流路２０５の過給吸気流れ方向の長さＤHTは、第１高温側流路部２０５ｅ、第２高温側流路部２０５ｆおよび高温側仕切部２０５ｃの過給吸気流れ方向の長さを合計した値とほぼ等しくなっている。
【００４０】
低温冷却水流路２０４の低温側Ｕターン部２０４ｄと、高温冷却水流路２０５の高温側Ｕターン部２０５ｄには、支柱部２０６が設けられている。支柱部２０６は、流路管２０１を構成する一対の板状部材２０３のそれぞれに流路内に突出するように形成されている。一対の板状部材２０３のそれぞれ対応する位置に形成された支柱部２０６同士が接合されている。一対の板状部材２０３は、支柱部２０６によって所定の間隔を保持した状態で互いに接合されている。つまり、支柱部２０６によって流路管２０１の対向する内表面同士が接合されている。支柱部２０６によって、流路管２０１を構成する一対の板状部材２０３のろう付け性を向上させることができ、さらに流路管２０１の強度を向上させることができる。
【００４１】
低温冷却水流路２０４の内部には、低温冷却水流路２０４を複数の細流路に分割するフィン２０７が配置されている。低温冷却水流路２０４に設けられたフィン２０７は、低温冷却水と過給吸気との伝熱面積を拡大させるための熱交換促進部を構成する。フィン２０７は、低温冷却水流路２０４の第１低温側流路部２０４ｅおよび第２低温側流路部２０４ｆにそれぞれ配置されている。
【００４２】
図６に示すように、本実施形態のフィン２０７は、ストレートフィンとして構成されている。ストレートフィン構造のフィン２０７は、壁部２０７ａと頂部２０７ｂが連続する波形状となっており、波の連続する方向に波形の断面形状が形成される。複数の壁部２０７ａおよび複数の頂部２０７ｂは、それぞれ並列して設けられている。複数の壁部２０７ａおよび複数の頂部２０７ｂは、それぞれ低温冷却水の流通方向に沿って直線的に延びている。
【００４３】
図５に戻り、高温冷却水流路２０５の内部には、フィンは配置されていない。このため、高温冷却水流路２０５は、フィンによって複数の細流路に分割されていない。
【００４４】
また、高温冷却水流路２０５において、第１高温側流路部２０５ｅおよび第２高温側流路部２０５ｆでは、流路の内表面が平坦状に形成されている。つまり、高温冷却水流路２０５において、高温側Ｕターン部２０５ｄを除く部位の内表面には、突起部や凹凸などが形成されていない。
【００４５】
以上説明した本実施形態によれば、温度が異なる２種類の冷却水によって過給吸気を冷却するインタークーラ２０において、低温冷却水流路２０４の内部にはフィン２０７を設け、高温冷却水流路２０５の内部にはフィンを設けていない。このため、フィン２０７が配置された低温冷却水流路２０４では、伝熱面積が拡大し、低温冷却水と過給吸気の熱交換を促進する効果を得ることができる。
【００４６】
一方、フィンが配置されていない高温冷却水流路２０５では、通水抵抗を低下させることができ、高温冷却水の沸点を上昇させることができる。これにより、高温冷却水流路２０５を流れる高温冷却水が沸騰しにくくなり、高温冷却水の沸騰に起因する異物の発生を抑制できる。
【００４７】
また、高温冷却水流路２０５にはフィンが設けられていないため、フィンが設けられている場合に比べて高温冷却水の流路が広くなっている。このため、高温冷却水中に異物が発生したとしても、異物が高温冷却水流路２０５に堆積することを抑制でき、異物によって流路が閉塞することを極力回避することが可能となる。
【００４８】
また、本実施形態では、高温冷却水流路２０５の高温側流路部２０５ｅ、２０５ｆの内表面を平坦状としている。このため、高温冷却水中に異物が発生したとしても、異物が流路に堆積することを抑制でき、異物によって流路が閉塞することを極力回避することが可能となる。
【００４９】
また、本実施形態では、高温冷却水流路２０５の過給吸気流れ方向の長さＤHTの方が低温冷却水流路２０４の過給吸気流れ方向の長さＤLTよりも短くなっており、高温冷却水流路２０５の流路断面積の方が低温冷却水流路２０４の流路断面積よりも小さくなっている。このため、低温冷却水流路２０４よりも高温冷却水流路２０５の方が冷却水の流速が速くなり、過給吸気と高温冷却水の熱交換において、水側伝熱面積に対する水側熱伝達率を向上させることができる。この結果、高温冷却水流路２０５では、フィンが設けられていないことによる熱交換性能の低下を抑制することができる。
【００５０】
また、本実施形態では、低温冷却水流路２０４および高温冷却水流路２０５に支柱部２０６が形成されていることで、ろう付け性を向上させることができ、流路管２０１の強度を向上させることができる。また、Ｕターン部２０４ｄ、２０５ｄは、冷却水流路２０４、２０５で比較的大きな空間を構成しており、流路管２０１で熱応力が発生した場合に変形量が大きくなりやすい。このようなＵターン部２０４ｄ、２０５ｄに支柱部２０６を設けることで、Ｕターン部２０４ｄ、２０５ｄの強度を確保できる。
【００５１】
（第２実施形態）
次に、本発明の第２実施形態を図７に基づいて説明する。本第２実施形態では、上記第１実施形態と異なる部分についてのみ説明する。本第２実施形態は、上記第１実施形態と比較して、低温冷却水流路２０４の構成が異なっている。
【００５２】
図７に示すように、本第２実施形態では、低温冷却水流路２０４に低温側仕切部２０４ｃと低温側Ｕターン部２０４ｄが設けられていない。また、低温冷却水流路２０４では、低温側入口部２０４ａおよび低温側出口部２０４ｂが流路管２０１の長手方向における異なる端部に配置されている。低温側入口部２０４ａは、流路管２０１の長手方向における一方の端部（つまり、図７の左側端部）に配置されており、低温側出口部２０４ｂは、流路管２０１の長手方向における他方の端部（つまり、図７の右側端部）に配置されている。
【００５３】
このため、本第２実施形態の低温冷却水流路２０４では、低温冷却水が一方向に流れるようになっている。図７に示す例では、低温冷却水流路２０４では、低温冷却水が図中の左側から右側に向かう方向に流れるようになっている。
【００５４】
高温冷却水流路２０５は、上記第１実施形態と同様の構成であり、高温側仕切部２０５ｃおよび高温側Ｕターン部２０５ｄが設けられている。このため、高温冷却水流路２０５では、高温冷却水がＵターンして流れる。
【００５５】
以上説明した本第２実施形態では、低温冷却水流路２０４では低温冷却水が一方向に流れ、高温冷却水流路２０２では高温冷却水がＵターンして流れるように構成されている。このような構成においても、上記第１実施形態と同様の効果を得ることができる。
【００５６】
（第３実施形態）
次に、本発明の第３実施形態を図８に基づいて説明する。本第３実施形態では、上記各実施形態と異なる部分についてのみ説明する。本第３実施形態は、上記第１実施形態と比較して、高温冷却水流路２０５の構成が異なっている。
【００５７】
図８に示すように、本第３実施形態では、高温冷却水流路２０５に高温側仕切部２０５ｃと高温側Ｕターン部２０５ｄが設けられていない。また、高温冷却水流路２０５では、高温側入口部２０５ａおよび高温側出口部２０５ｂが流路管２０１の長手方向における異なる端部に配置されている。高温側入口部２０５ａは、流路管２０１の長手方向における一方の端部（つまり、図８の左側端部）に配置されており、高温側出口部２０５ｂは、流路管２０１の長手方向における他方の端部（つまり、図８の右側端部）に配置されている。
【００５８】
このため、本第３実施形態の高温冷却水流路２０５では、高温冷却水が一方向に流れるようになっている。図８に示す例では、高温冷却水流路２０５では、高温冷却水が図中の左側から右側に向かう方向に流れるようになっている。
【００５９】
低温冷却水流路２０４は、上記第１実施形態と同様の構成であり、低温側仕切部２０４ｃおよび低温側Ｕターン部２０４ｄが設けられている。このため、低温冷却水流路２０４では、低温冷却水がＵターンして流れる。
【００６０】
以上説明した本第３実施形態では、低温冷却水流路２０４では低温冷却水がＵターンして流れ、高温冷却水流路２０２では高温冷却水が一方向に流れるように構成されている。このような構成においても、上記第１実施形態と同様の効果を得ることができる。
【００６１】
また、本第３実施形態では、高温冷却水流路２０２では高温冷却水が一方向に流れるように構成されていることから、上記第１、第２実施形態のような高温冷却水がＵターンして流れる構成に比べて、高温冷却水の流路断面積を大きくすることができる。このため、高温冷却水中に異物が発生したとしても、異物が流路に堆積することを抑制でき、異物によって流路が閉塞することを極力回避することが可能となる。
【００６２】
（第４実施形態）
次に、本発明の第４実施形態を図９に基づいて説明する。本第４実施形態では、上記各実施形態と異なる部分についてのみ説明する。本第４実施形態は、上記第１実施形態と比較して、低温冷却水流路２０４および高温冷却水流路２０５の構成が異なっている。
【００６３】
図９に示すように、本第４実施形態では、低温冷却水流路２０４に２つの低温側仕切部２０４ｃ、２０４ｇと、２つの低温側Ｕターン部２０４ｄ、２０４ｈが設けられている。低温冷却水流路２０４は、２つの低温側仕切部２０４ｃ、２０４ｇによって３つの流路２０４ｅ、２０４ｆ、２０４ｉに仕切られている。
【００６４】
低温冷却水流路２０４は、第１低温側仕切部２０４ｃによって、第１低温側Ｕターン部２０４ｄより上流側に位置する第１低温側流路部２０４ｅと、第１低温側Ｕターン部２０４ｄより下流側に位置する第２低温側流路部２０４ｆに仕切られている。また、低温冷却水流路２０４は、第２低温側仕切部２０４ｇによって、第２低温側Ｕターン部２０４ｈより上流側に位置する第２低温側流路部２０４ｆと、第２低温側Ｕターン部２０４ｈより下流側に位置する第３低温側流路部２０４ｉに仕切られている。
【００６５】
低温冷却水流路２０４を流れる低温冷却水は、２つの低温側Ｕターン部２０４ｄ、２０４ｈで２回流れ方向を変える。このため、低温冷却水流路２０４では、第１低温側流路部２０４ｅと第２低温側流路部２０４ｆで低温冷却水の流れ方向が反対方向になっており、第２低温側流路部２０４ｆと第３低温側流路部２０４ｉで低温冷却水の流れ方向が反対方向になっている。
【００６６】
また、低温冷却水流路２０４では、低温側入口部２０４ａおよび低温側出口部２０４ｂが流路管２０１の長手方向における異なる端部に配置されている。低温側入口部２０４ａは、流路管２０１の長手方向における一方の端部（つまり、図９の左側端部）に配置されており、低温側出口部２０４ｂは、流路管２０１の長手方向における他方の端部（つまり、図９の右側端部）に配置されている。
【００６７】
高温冷却水流路２０５は、上記第３実施形態と同様の構成であり、高温側仕切部２０５ｃおよび高温側Ｕターン部２０５ｄが設けられていない。このため、高温冷却水流路２０５では、高温冷却水が一方向に流れる。
【００６８】
以上説明した本第４実施形態では、低温冷却水流路２０４では低温冷却水が２回Ｕターンして流れ、高温冷却水流路２０２では高温冷却水が一方向に流れるように構成されている。このような構成においても、上記第１、第３実施形態と同様の効果を得ることができる。
【００６９】
（第５実施形態）
次に、本発明の第５実施形態を図１０に基づいて説明する。本第５実施形態では、上記各実施形態と異なる部分についてのみ説明する。本第５実施形態は、上記第１実施形態と比較して、低温冷却水流路２０４および高温冷却水流路２０５の構成が異なっている。
【００７０】
図１０に示すように、本第５実施形態では、低温冷却水流路２０４に３つの低温側仕切部２０４ｃ、２０４ｇ、２０４ｊと、３つの低温側Ｕターン部２０４ｄ、２０４ｈ、２０４ｋが設けられている。低温冷却水流路２０４は、３つの低温側仕切部２０４ｃ、２０４ｇ、２０４ｊによって４つの流路２０４ｅ、２０４ｆ、２０４ｉ、２０４ｌに仕切られている。
【００７１】
低温冷却水流路２０４は、第１低温側仕切部２０４ｃによって、第１低温側Ｕターン部２０４ｄより上流側に位置する第１低温側流路部２０４ｅと、第１低温側Ｕターン部２０４ｄより下流側に位置する第２低温側流路部２０４ｆに仕切られている。また、低温冷却水流路２０４は、第２低温側仕切部２０４ｇによって、第２低温側Ｕターン部２０４ｈより上流側に位置する第２低温側流路部２０４ｆと、第２低温側Ｕターン部２０４ｈより下流側に位置する第３低温側流路部２０４ｉに仕切られている。また、低温冷却水流路２０４は、第３低温側仕切部２０４ｊによって、第３低温側Ｕターン部２０４ｋより上流側に位置する第３低温側流路部２０４ｉと、第３低温側Ｕターン部２０４ｋより下流側に位置する第４低温側流路部２０４ｌに仕切られている。
【００７２】
低温冷却水流路２０４を流れる低温冷却水は、３つの低温側Ｕターン部２０４ｄ、２０４ｈ、２０４ｋで３回流れ方向を変える。このため、低温冷却水流路２０４では、第１低温側流路部２０４ｅと第２低温側流路部２０４ｆで低温冷却水の流れ方向が反対方向になっており、第２低温側流路部２０４ｆと第３低温側流路部２０４ｉで低温冷却水の流れ方向が反対方向になっており、第３低温側流路部２０４ｉと第４低温側流路部２０４ｌで低温冷却水の流れ方向が反対方向になっている。
【００７３】
また、低温冷却水流路２０４では、低温側入口部２０４ａおよび低温側出口部２０４ｂが流路管２０１の長手方向における一方の端部（つまり、図１０の左側端部）に配置されている。
【００７４】
高温冷却水流路２０５は、上記第３実施形態と同様の構成であり、高温側仕切部２０５ｃおよび高温側Ｕターン部２０５ｄが設けられていない。このため、高温冷却水流路２０５では、高温冷却水が一方向に流れる。
【００７５】
以上説明した本第５実施形態では、低温冷却水流路２０４では低温冷却水が３回Ｕターンして流れ、高温冷却水流路２０２では高温冷却水が一方向に流れるように構成されている。このような構成においても、上記第１、第３実施形態と同様の効果を得ることができる。
【００７６】
（第６実施形態）
次に、本発明の第６実施形態を図１１に基づいて説明する。本第６実施形態では、上記各実施形態と異なる部分についてのみ説明する。本第６実施形態は、上記第１実施形態と比較して、低温冷却水流路２０４および高温冷却水流路２０５の構成が異なっている。
【００７７】
図１１に示すように、本第６実施形態では、低温冷却水流路２０４は上記第２実施形態と同様の構成となっており、低温冷却水流路２０４に低温側仕切部２０４ｃと低温側Ｕターン部２０４ｄが設けられていない。このため、本第６実施形態の低温冷却水流路２０４では、低温冷却水が一方向に流れるようになっている。
【００７８】
また、高温冷却水流路２０５は上記第３実施形態と同様の構成となっており、高温冷却水流路２０５に高温側仕切部２０５ｃと高温側Ｕターン部２０５ｄが設けられていない。このため、本第６実施形態の高温冷却水流路２０５では、高温冷却水が一方向に流れるようになっている。
【００７９】
以上説明した本第６実施形態では、低温冷却水流路２０４では低温冷却水が一方向に流れ、高温冷却水流路２０２では高温冷却水が一方向に流れるように構成されている。このような構成においても、上記第１、第３実施形態と同様の効果を得ることができる。
【００８０】
（第７実施形態）
次に、本発明の第７実施形態を図１２に基づいて説明する。本第７実施形態では、上記各実施形態と異なる部分についてのみ説明する。本第７実施形態は、上記第１実施形態と比較して、高温冷却水流路２０５の構成が異なっている。
【００８１】
図１２に示すように、本第７実施形態では、上記第１実施形態と同様、低温冷却水流路２０４および高温冷却水流路２０５は、ともに冷却水がＵターンして流れるようになっている。また、本第７実施形態では、高温冷却水流路２０５の高温側Ｕターン部ｄに支柱部２０６が設けられていない。このため、高温冷却水流路２０５は、高温側流路部２０５ｅ、２０５ｆに加えて、高温側Ｕターン部２０５ｄの内表面が平坦状に形成されている。つまり、本第７実施形態の高温冷却水流路２０５は、流路全体に渡って内表面が平坦状に形成されている。
【００８２】
以上説明した本第７実施形態では、高温冷却水流路２０５は、流路全体の内表面が平坦状に形成されている。このような構成においても、上記第１実施形態と同様の効果を得ることができる。
【００８３】
また、本第７実施形態では、高温側流路部２０５ｅ、２０５ｆに加えて、高温側Ｕターン部２０５ｄの内表面が平坦状に形成されている。このため、高温冷却水中に異物が発生したとしても、高温側Ｕターン部２０５ｄにおいても異物が流路に堆積することを抑制でき、異物によって流路が閉塞することを極力回避することが可能となる。
【００８４】
（第８実施形態）
次に、本発明の第８実施形態を図１３に基づいて説明する。本第８実施形態では、上記各実施形態と異なる部分についてのみ説明する。本第８実施形態は、上記第１実施形態と比較して、高温冷却水流路２０５の構成が異なっている。
【００８５】
図１３に示すように、本第８実施形態では、高温冷却水流路２０５において、突起部２０５ｇが流路側に突出するよう形成されている。図１３では、突起部２０５ｇを黒丸で示している。
【００８６】
突起部２０５ｇは、第１高温側流路部２０５ｅ、第２高温側流路部２０５ｆおよび高温側Ｕターン部２０５ｄの内表面に形成されている。つまり、本第８実施形態の高温冷却水流路２０５は、流路全体に渡って内表面に突起部２０５ｇが形成されている。突起部２０５ｇは、高温冷却水流路２０５を流れる高温冷却水に乱流を発生させる乱流生成部を構成している。
【００８７】
以上説明した本第８実施形態では、高温冷却水流路２０５の全体に渡って突起部２０５ｇが設けられている。このような構成においても、上記第１実施形態と同様の効果を得ることができる。
【００８８】
また、高温冷却水流路２０５に突起部２０５ｇが設けられていることで、高温冷却水と過給吸気との熱伝達効率を向上させることができる。このため、高温冷却水流路２０５では、フィンが設けられていないことによる熱交換性能の低下を抑制することができる。
【００８９】
（第９実施形態）
次に、本発明の第９実施形態を図１４に基づいて説明する。本第９実施形態では、上記各実施形態と異なる部分についてのみ説明する。本第９実施形態は、上記第１実施形態と比較して、高温冷却水流路２０５の構成が異なっている。
【００９０】
図１４に示すように、本第９実施形態では、高温冷却水流路２０５において、高温冷却水の流れ方向と過給吸気の流れ方向が交差する部位である高温側流路部２０５ｅ、２０５ｆに突起部２０５ｇが形成されている。また、高温冷却水流路２０５において、高温側Ｕターン部２０５ｄには、支柱部２０６が設けられている。
【００９１】
以上説明した本第９実施形態では、高温冷却水流路２０５において、高温側流路部２０５ｅ、２０５ｆに突起部２０５ｇが設けられ、高温側Ｕターン部２０５ｄに支柱部２０６が設けられている。このような構成においても、上記第１実施形態と同様の効果を得ることができる。
【００９２】
また、高温側流路部２０５ｅ、２０５ｆに突起部２０５ｇが設けられていることで、高温冷却水と過給吸気との熱伝達効率を向上させることができ、高温側Ｕターン部２０５ｄに支柱部２０６が設けられていることで、高温側Ｕターン部２０５ｄの強度を確保することができる。
【００９３】
（他の実施形態）
本発明は上述の実施形態に限定されることなく、本発明の趣旨を逸脱しない範囲内で、以下のように種々変形可能である。また、上記各実施形態に開示された手段は、実施可能な範囲で適宜組み合わせてもよい。
【００９４】
（１）上記各実施形態では、インタークーラ２０のダクト２１に過給吸気が流れるタンク２３が連結され、ダクト２１の内部に熱交換部２００が設けられた構成（図２、図３参照）としたが、これに限らず、インタークーラ２０を異なる構成としてもよい。例えば、インタークーラ２０がインテークマニホールドに挿入される構成としてもよい。この場合、過給吸気の流路を構成するダクト２１が不要であり、インテークマニホールドの壁面に固定するためのプレートをインタークーラに設け、このプレートに熱交換部２００が固定されていればよい。
【００９５】
（２）上記各実施形態では、インタークーラ２０の熱交換部２００を流路管２０１と隣り合う流路管２０１の間に接合されるフィン２０２が交互に積層配置された積層構造（図４参照）としたが、これに限らず、異なる構成としてもよい。例えば、インタークーラ２０の熱交換部２００を一対のコアプレートにチューブの端部が挿入されるコアプレート型としてもよい。この場合、チューブの内部を過給吸気が通過し、チューブの外部を冷却水が通過するようにしてもよく、チューブの内部を冷却水が通過し、チューブの外部を過給吸気が通過するようにしてもよい。
【００９６】
（３）上記第１実施形態では、高温冷却水流路２０５のＵターン部２０５ｄのみに支柱部２０６を設けるように構成したが、これに限らず、高温冷却水流路２０５の高温側流路部２０５ｅ、２０５ｆに支柱部２０６を設けてもよい。
【００９７】
（４）上記各実施形態では、低温冷却水流路２０４に配置するフィン２０７をストレートフィン（図６参照）として構成したが、これに限らず、フィン２０７を異なる形状としてもよい。
【００９８】
例えば、図１５に示すように、フィン２０７をオフセットフィンとして構成してもよい。オフセットフィンとして構成されたフィン２０７は、壁部２０７ａと頂部２０７ｂが連続する断面波形状となっており、壁部２０７ａには、部分的に切り起こされた切り起こし部２０７ｃが多数設けられている。壁部２０７ａと切り起こし部２０７ｃは、低温冷却水の流れ方向に沿って交互に千鳥状に配置されている。
【００９９】
また、フィン２０７を図示しないウェーブフィンとして構成してもよい。ウェーブフィンは、壁部２０７ａと頂部２０７ｂが連続する断面波形状となっており、壁部２０７ａと頂部２０７ｂが低温冷却水の流通方向に沿って蛇行するように形成されている。
【０１００】
（５）上記各実施形態では、高温冷却水流路２０５の内部にフィンが全く設けられていない構成について説明したが、高温冷却水流路２０５の内部に比較的小さなフィンが存在することを除外するものではない。つまり、高温冷却水中の異物による流路閉塞を抑制できる範囲であれば、高温冷却水流路２０５にフィンが設けられていてもよい。
【符号の説明】
【０１０１】
１０        エンジン
２０        インタークーラ
２００      熱交換部
２０１      流路管
２０４      低温冷却水流路（第１冷却媒体流路）
２０４ｄ、２０４ｈ、２０４ｋ  低温側Ｕターン部（第１Ｕターン部）
２０５      高温冷却水流路（第２冷却媒体流路）
２０５ｄ    高温側Ｕターン部（第２Ｕターン部）
２０５ｇ    突起部
２０６      支柱部
２０７      フィン
【図１】
2019015200.tif 000003
【図２】
2019015200.tif 000004
【図３】
2019015200.tif 000005
【図４】
2019015200.tif 000006
【図５】
2019015200.tif 000007
【図６】
2019015200.tif 000008
【図７】
2019015200.tif 000009
【図８】
2019015200.tif 000010
【図９】
2019015200.tif 000011
【図１０】
2019015200.tif 000012
【図１１】
2019015200.tif 000013
【図１２】
2019015200.tif 000014
【図１３】
2019015200.tif 000015
【図１４】
2019015200.tif 000016
【図１５】
2019015200.tif 000017